(57)【要約】      （修正有）【課題】取り付けが容易でかつどのような箇所にも取り付け可能で汎用性が高い新規な簡易棚を提供する。【解決手段】対向する壁面ｗ１，ｗ２間に架け渡すように取り付けられる少なくとも２本以上の壁面固定棒１０，１０と、この壁面固定棒間１０，１０に架け渡すように載置される棚部２０とを有し、壁面固定棒１０，１０は、壁面ｗ１，ｗ２間の距離に応じて伸縮して取り付けられ、棚部２０は、少なくとも矩形状の平板と、この平板の対向する縁部からそれぞれ起立するように設けられる一対の側板とを有すると共に、各側板に、各壁面固定棒１０，１０を嵌合する嵌合溝を備える。これによって、２本の壁面固定棒１０，１０上に棚部２０を載せるだけで簡単に棚を作成することができる。【選択図】図１
0003187865.tif 000002
【実用新案登録請求の範囲】
【請求項１】
対向する壁面間に略水平且つ平行に架け渡すように取り付けられる少なくとも２本以上の壁面固定棒と、前記壁面固定棒間に架け渡すように載置される棚部とを有し、
前記壁面固定棒は、前記壁面間の距離に応じて伸縮して取り付けられ、
前記棚部は、少なくとも矩形状の平板と、前記平板の対向する縁部からそれぞれ起立するように設けられる一対の側板とを有すると共に、当該各側板に、前記各壁面固定棒を嵌合する嵌合溝を備えたことを特徴とする簡易棚。
【請求項２】
請求項１に記載の簡易棚において、
前記嵌合溝を前記壁面固定棒の数よりも多く形成したことを特徴とする簡易棚。
【請求項３】
請求項１または２に記載の簡易棚において、
前記棚部を複数備えると共に、各棚部の大きさを調整して各棚部内に他の棚部が収納可能となっていることを特徴とする簡易棚。
【請求項４】
請求項１乃至３のいずれかに記載の簡易棚において、
前記棚部の側板のうち、壁面固定棒方向に面する側板の一方または両方を省略したことを特徴とする簡易棚。
【請求項５】
請求項１乃至４のいずれかに記載の簡易棚において、
前記嵌合溝の一部またはすべての大きさを、前記壁面固定棒の外径の１．５倍以上としたことを特徴とする簡易棚。
【考案の詳細な説明】
【技術分野】
【０００１】
本考案は、例えば玄関やトイレ、台所、居間などに簡単に取り付けることができる簡易棚に関するものである。
【背景技術】
【０００２】
従来、玄関やトイレ、台所、居間などに棚を後付けするには、例えば、以下の特許文献１のような吊り戸棚を設けたり、あるいは特許文献２のように天井と床面間に垂直に延びる支柱を設け、この支柱に棚板を取り付けたり、あるいは特許文献３のように垂直に延びる二本の脚間を連結部材で連結すると共に、その連結部材に複数の水切り棚を上下多段に取り付けるなどの方法が提案されている。
【先行技術文献】
【特許文献】
【０００３】
【特許文献１】登録実用新案第３０２８０２３号公報
【特許文献２】特開２００５−２６１８１９号公報
【特許文献３】特開２０１１−９８１６４号公報
【考案の概要】
【考案が解決しようとする課題】
【０００４】
しかし、上記のような従来提案されている後付けの棚は、多くの部材から構成されているため、組み立てが容易でなく、また、コストも高くなる。さらに、取り付け場所がある程度特定されてしまうため、汎用性が低いといった問題がある。
【０００５】
そこで、本考案はこれらの課題を解消すべく案出されたものであり、その目的は、取り付けが容易でかつどのような箇所にも取り付け可能で汎用性が高い新規な簡易棚を提供することにある。
【課題を解決するための手段】
【０００６】
前記課題を解決するために第１の考案は、対向する壁面間に平行に架け渡すように取り付けられる少なくとも２本以上の壁面固定棒と、前記壁面固定棒間に架け渡すように載置される棚部とを有し、前記壁面固定棒は、前記壁面間の距離に応じて伸縮して取り付けられ、前記棚部は、少なくとも矩形状の平板と、前記平板の対向する縁部からそれぞれ起立するように設けられる一対の側板とを有すると共に、当該各側板に、前記各壁面固定棒を嵌合する嵌合溝を備えたことを特徴とする簡易棚である。
【０００７】
このような構成によれば、対向する壁面間に２本の壁面固定棒を架け渡し、その上に棚部を載せるだけでその位置に簡単に棚を作成することができる。しかも、この棚部は、側板に嵌合溝を備えたことから、この嵌合溝に各壁面固定棒を嵌合すれば、地震や外力などによる揺れなどが加わっても簡単に落下することなく、安定してその状態を維持することができる。また、対向する壁面さえあれば、どのような箇所にも取り付けることができるため、優れた汎用性を発揮できる。
【０００８】
第２の考案は、第１の考案において、前記嵌合溝を前記壁面固定棒の数よりも多く形成したことを特徴とする簡易棚である。このような構成によれば、設置される一対の壁面固定棒間の距離がその棚部より短ければ、その距離の大小を問わずに棚部を安定状態に取り付けることができる。
【０００９】
第３の考案は、第１または第２の考案において、前記棚部を複数備えると共に、各棚部の大きさを調整して各棚部内に他の棚部が収納可能となっていることを特徴とする簡易棚である。このような構成によれば、所定高さを有する複数の棚部を他の棚部内に重ね合わせるようにして収納することができるため、搬送時や不要時には複数の棚部をコンパクトに収納することができる。
【００１０】
第４の考案は、第１乃至第３の考案において、前記棚部の側板のうち、壁面固定棒方向に面する側板の一方または両方を省略したことを特徴とする簡易棚である。このような構成によれば、棚としての必要な強度を維持しつつ軽量化を図ることができる。また、構造がより簡易になるため、製造コストや材料費を安価に抑えることが可能となる。
【００１１】
第５の考案は、第１乃至第４の考案において、前記嵌合溝の一部またはすべての大きさを、前記壁面固定棒の外径の１．５倍以上としたことを特徴とする簡易棚である。このような構成によれば、壁面固定棒の中心と嵌合溝の中心とが多少ずれていても確実にその嵌合溝に壁面固定棒を嵌合することができる。
【考案の効果】
【００１２】
本考案によれば、対向する壁面間に２本の壁面固定棒を架け渡し、その上に棚部を載せるだけでその位置に簡単に棚を作成することができる。しかも、この棚部は、側板に嵌合溝を備えたことから、この嵌合溝に各壁面固定棒を嵌合すれば、地震や外力による揺れなどが加わっても簡単に落下することなく、安定してその状態を維持することができる。
【図面の簡単な説明】
【００１３】
【図１】本考案に係る簡易棚１００の実施の一形態を示す斜視図である。
【図２】棚部２０の一例を示す上面側斜視図である。
【図３】棚部２０の一例を示す下面側斜視図である。
【図４】本考案に係る簡易棚１００の取り付け状況を示す概念図である。
【図５】棚部２０の他の実施の形態を示す上面側斜視図である。
【図６】棚部２０の他の実施の形態を示す上面側斜視図である。
【図７】棚部２０の他の実施の形態を示す分解図である。
【図８】棚部２０の他の実施の形態を示す上面側斜視図である。
【図９】棚部２０の他の実施の形態を示す上面側斜視図である。
【考案を実施するための形態】
【００１４】
次に、本考案の実施の一形態を添付図面を参照しながら説明する。図１は、本考案に係る簡易棚１００の実施の一形態を示したものである。図示するようにこの簡易棚１００は一対の壁面固定棒１０，１０と、少なくとも１枚以上（図では２枚）の棚部２０とから構成されている。壁面固定棒１０，１０は、いわゆる突っ張り棒と称される伸縮調整自在な機構を有し、例えば押し入れやトイレの向かい合った平行な壁ｗ１、ｗ２の間に、水平かつ平行に架け渡すように取り外し自在に取り付けられるようになっている。
【００１５】
すなわち、この壁面固定棒１０は、断面円形の直管状をした第１管体１１と、この第１管体１１内に挿脱される同じく断面円形の第２管体１２と、この第２管体１２を固定する固定部１３とから構成されており、第１管体１１の基部１１ａを一方の壁面ｗ１に当てた状態で第２管体１２を引き延ばしてその先端１２ａを他方の壁面ｗ２に当ててから固定部１３の図示しないネジを締め付けてさらに第２管体１２を伸張させることで壁ｗ２側に押し付け、壁ｗ１、ｗ２間に突っ張るようにして取り付けられるようになっている。
【００１６】
棚部２０は、図２および図３に示すように、矩形状の平板２１と、この平板の対向する縁部からそれぞれ起立するように設けられる４つの側板２２，２２，２３，２３とからなるトレー状に形成されている。そして、この４つの側板２２，２２，２３，２３のうち、長手方向に延びる一対の側板２２，２２の両端側には、それぞれ半円形の嵌合溝２４、２４，２４，２４が形成されている。なお、この棚部２０の材質としては、特に限定されるものでなく、プラスチックや金属その他の物を用いることができる。また、形状や大きさなども特に限定されるものでなく、図のような長方形の他に正方形や角を落としたものであっても良い。
【００１７】
そして、図４に示すように、対向する壁面ｗ１、ｗ２間に２本の壁面固定棒１０，１０を水平且つ平行に架け渡し、その上に、側板２２，２２側を下向きにして棚部２０を載せるだけでその位置に簡単に棚を作成することができる。しかも、この棚部２０は、側板２２，２２に嵌合溝２４，２４，２４，２４を備えたことから、この嵌合溝２４，２４，２４，２４に各壁面固定棒１０，１０を嵌合すれば、地震や外力などによる揺れや振動などが加わっても棚部２０が簡単に落下することなく、安定してその状態を維持することができる。また、対向する壁面さえあれば、どのような箇所にも取り付けることができ、優れた汎用性を発揮できる。
【００１８】
また、図示するようにこの棚部２０を複数枚並べて配置することもできるため、その棚の面積も簡単に調整することができる。また、この棚部２０のサイズを複数用意することにより、様々な大きさの棚を簡単に作成することができる。そして、不要なときは、その棚部２０を持ち上げて外した後、壁面固定棒１０のネジを緩めるだけで簡単に撤去することができる。また、取付時にはその壁面ｗ１、ｗ２などに何ら工作を施さないため、撤去後は、直ぐに元の状態に戻すことができる。
【００１９】
次に、図５乃至図９は、本発明に係る簡易棚１００の他の実施の形態を示したものである。先ず、図５および図６は、嵌合溝２４を壁面固定棒１０の数よりも多く形成したものである。図５の例では、側板２２，２２の両端側にそれぞれ隣接するように２箇所に嵌合溝２４を形成したものであり、壁面固定棒１０，１０間の距離に応じていずれかを使い分けることができるようになっている。これによって、設置される一対の壁面固定棒１０，１０間の距離がその棚部２０より短ければ、その距離の大小を問わずに棚部２０を安定状態に取り付けることができる。
【００２０】
図６の例では、この嵌合溝２４を側板２２，２２の全体に亘って形成するだけでなく、幅方向に延びる側板２３，２３側にも形成したものである。このようにすれば、壁面固定棒１０，１０間の距離をより細かく調整できるだけでなく、この棚部２０を横方向にしてその長手方向だけでなく、幅方向に架け渡すことも可能となる。
【００２１】
図７は、棚部２０を複数（図の例では３つ）用意すると共に、各棚部２０ａ、２０ｂ、２０ｃの大きさを調整して各棚部２０ａ、２０ｂ内に他の棚部２０ｂ、２０ｃを収納可能としたものである。すなわち、嵌合溝２４、２４間の距離ｈ１は、いずれの棚部２０ａ、２０ｂ、２０ｃも同じになっているが、平板２１の長さＬおよび幅Ｗは、それぞれＬａ＞Ｌｂ＞Ｌｃ、Ｗａ＞Ｗｂ＞Ｗｃの関係となっている。これにより、図示するように複数の棚部２０ａ、２０ｂ、２０ｃを重ね合わせるようにしてあたかも１つの棚部のごとき収納または載置することができるため、搬送時や不要時には複数の棚部をコンパクトに収納することができる。
【００２２】
図８は、棚部２０の４つの側板２２，２２，２３，２３のうち、壁面固定棒１０，１０方向に面する側板２３，２３を省略したものである。これにより、棚としての必要な強度を維持しつつ全体の軽量化を図ることができる。また、構造がより簡易になるため、製造コストや材料費を安価に抑えることが可能となる。なお、図は、側板２３，２３の両方を省略した例であるが、いずれ一方のみを省略した構造であっても良い。
【００２３】
図９は、側板２３に形成される少なくとも一対の嵌合溝２４，２４のうちいずれか一方を長溝状にしたものである。すなわち、図の例では、一方の嵌合溝２４の開口幅（直径）ｄ１が、壁面固定棒１０の外径とほぼ同じであるのに対し、他方の嵌合溝２４の開口幅ｄ２は、壁面固定棒１０の外径の１．５倍となっている。これにより、壁面固定棒１０，１０の中心と嵌合溝２４，２４の中心とが多少ずれていても確実にそれぞれの嵌合溝２４，２４に壁面固定棒１０，１０を嵌合することが可能となる。
【符号の説明】
【００２４】
１００…簡易棚
１０…壁面固定棒
１１…第１管体
１２…第２管体
１３…固定部
２０…棚部
２１…平板
２２，２３…側板
２４…嵌合溝
【図１】
0003187865.tif 000003
【図２】
0003187865.tif 000004
【図３】
0003187865.tif 000005
【図４】
0003187865.tif 000006
【図５】
0003187865.tif 000007
【図６】
0003187865.tif 000008
【図７】
0003187865.tif 000009
【図８】
0003187865.tif 000010
【図９】
0003187865.tif 000011